(57)【特許請求の範囲】
【請求項１】
太陽光発電プラントを監視する太陽光発電プラント監視システムであって、
前記太陽光発電プラントを構成している種類の異なる複数の監視対象機器間の接続関係に対応するように、前記太陽光発電プラントを構成している種類の異なる複数の監視対象機器の識別コードを関連付けして記憶している記憶部を備え、
前記太陽光発電プラントを構成している種類の異なる複数の監視対象機器の識別コードの関連付けを利用して、問題が発生している状態の前記監視対象機器同士の接続関係に関する情報を出力するとともに、問題が発生している状態の前記監視対象機器が複数の場合に各々独立して警報情報を出力することを特徴とする太陽光発電プラント監視システム。
【請求項２】
前記記憶部である第１記憶部又は前記第１記憶部とは別の第２記憶部が、
前記太陽光発電プラントを構成している種類の異なる複数の監視対象機器それぞれについて、前記識別コードと設置場所のアドレスコードとを関連付けて記憶している請求項１に記載の太陽光発電プラント監視システム。
【請求項３】
前記設置場所のアドレスコードが、前記太陽光発電プラントの領域を格子状に区分けして得られる各区分を行と列で特定するアドレスコードである請求項２に記載の太陽光発電プラント監視システム。
【請求項４】
前記第１記憶部、前記第２記憶部、又は前記第１記憶部とも前記第２記憶部とも別の第３記憶部が、
前記太陽光発電プラントの領域の地図データ、及び、前記地図データと前記アドレスコードとの対応関係を記憶している請求項２または請求項３に記載の太陽光発電プラント監視システム。
【請求項５】
前記太陽光発電プラントは、太陽電池モジュールから構成される太陽電池ストリングと、入力側に複数の前記太陽電池ストリングが接続される接続箱と、入力側に複数の前記接続箱が接続されるインバータ装置とを備えて、該インバータ装置が電力系統に接続されており、
前記監視対象機器として、前記接続箱と前記インバータ装置とを含む請求項１〜４のいずれか１項に記載の太陽光発電プラント監視システム。
【請求項６】
太陽光発電プラントと、
前記太陽光発電プラントを監視する請求項１〜５のいずれか１項に記載の太陽光発電プラント監視システムとを備えることを特徴とする太陽光発電システム。
【請求項７】
請求項５に記載の太陽光発電プラント監視システムを用いた太陽光発電プラントの修理方法であって、
前記インバータ装置と該インバータ装置の入力側に接続された前記接続箱とについて、問題が発生している状態であることの警報情報が出力された場合に、先に前記接続箱を修理することを特徴とする太陽光発電プラントの修理方法。
【発明の詳細な説明】
【技術分野】
【０００１】
本発明は、太陽光発電プラントを監視する太陽光発電プラント監視システムに関する。
【背景技術】
【０００２】
近年、地球環境保護の重要性の高まりとともに太陽光発電への期待が大きくなっている。日本においては、現在のところ、住宅用の小規模太陽光発電システムや公共・産業用の中規模太陽光発電システムが一般的であるが、欧米やアジア地域では近年、ＭＷ級の大規模太陽光発電プラントが積極的に導入あるいは計画されている。
【先行技術文献】
【特許文献】
【０００３】
【特許文献１】特開２００４−２２１４７９号公報
【特許文献２】特開２００４−２６００１５号公報
【発明の概要】
【発明が解決しようとする課題】
【０００４】
大規模太陽光発電プラントでは、多数の太陽電池ストリング、多数の接続箱、多数の集電箱、多数のインバータ装置、多数のトランス等が広大な土地に分散して配置されるため、これらを遠隔監視することができる監視システムの導入が検討される。
【０００５】
監視システムとしては、ＳＣＡＤＡ（Supervisory Control And Data Acquisition）システムがよく知られている。しかしながら、火力発電所やタワー型ビルで従来より導入されている通常のＳＣＡＤＡシステムは、大規模太陽光発電プラントを監視する監視システムに要求される仕様（監視対象機器、監視対象機器数、監視内容等）を十分に満たしているとは言えない。
【０００６】
なお、特許文献２には、住宅用の小規模太陽光発電システムにおいて、個々の太陽電池モジュールの故障検出と故障した太陽電池モジュールの位置検出を行うことが開示されている。特許文献２では、住宅用の小規模太陽光発電システムを念頭においているため、多数の接続箱、多数の集電箱、多数のインバータ装置、多数のトランス等が設けられる設備は想定されておらず、大規模太陽光発電プラントにおいて種類の異なる複数の監視対象機器で異常が検出された際にどのような形態で異常を提示すればメンテナンス作業者が効率よく修理を実施することができるかについての指針は何ら開示も示唆もされていない。
【０００７】
本発明は、上記の状況に鑑み、異常が検出された際にメンテナンス作業者が効率よく修理を実施することができる太陽光発電プラント監視システムを提供することを目的とする。
【課題を解決するための手段】
【０００８】
上記目的を達成するために本発明に係る太陽光発電プラント監視システムは、太陽光発電プラントを監視する太陽光発電プラント監視システムであって、前記太陽光発電プラントを構成している種類の異なる複数の監視対象機器間の接続関係に対応するように、前記太陽光発電プラントを構成している種類の異なる複数の監視対象機器の識別コードを関連付けして記憶している記憶部を備える構成である。
【０００９】
前記太陽光発電プラントを構成している種類の異なる複数の監視対象機器間の接続関係に対応した形態（例えば、後述する実施形態での、図１５Ａ→図１５Ｂ→図１５Ｃ→図１５Ｄの順での警報表示画面の移行、図１５Ａ→図１５Ｄの警報表示画面の直接移行、図１５Ｂ中の赤色で点滅表示させている（図中では太い点線で表現している）識別コード表示等）で、問題が発生した監視対象機器に関する情報を出力（例えば表示や印刷等）することが可能となる。これにより、種類の異なる複数の機器で問題が発生した場合、問題が発生している状態の機器間で電力系統に遠い側の機器の影響により電力系統に近い側の機器に問題が発生しているおそれがあるか否かをユーザーが容易に認識することができ、ユーザー（メンテナンス作業者）が効率よく修理を実施することができる。すなわち、問題が発生している状態の機器同士が同一系統であれば、問題が発生している状態の機器間で電力系統に遠い側の機器の影響により電力系統に近い側の機器に問題が発生しているおそれがあり、逆に、問題が発生している状態の機器同士が同一系統でなければ、問題が発生している状態の機器間で問題が相互に関係している可能性は極めて低いと判断出来る。そして、問題が発生している状態の機器同士が同一系統であるか否かは、種類の異なる複数の監視対象機器間の接続関係から判別可能である。
【００１０】
また、前記太陽光発電プラントを構成している種類の異なる複数の監視対象機器の識別コードの関連付けを利用して、問題が発生している状態の監視対象機器同士の接続関係に関する情報（例えば、後述する実施形態での、図１５Ｂ中の赤色で点滅表示させている（図中では太い点線で表現している）識別コード表示等）を出力するようにしてもよい。
【００１１】
また、前記記憶部である第１記憶部又は前記第１記憶部とは別の第２記憶部が、前記太陽光発電プラントを構成している種類の異なる複数の監視対象機器それぞれについて、前記識別コードと設置場所のアドレスコードとを関連付けて記憶しているようにしてもよい。
【００１２】
これにより、問題が発生した監視対象機器の設置場所に関する情報を出力することが可能となるので、ユーザー（メンテナンス作業者）が、問題が発生した監視対象機器の設置場所に容易にたどり着くことができる。
【００１３】
前記設置場所のアドレスコードは、例えば、前記太陽光発電プラントの領域を格子状に区分けして得られる各区分を行と列で特定するアドレスコードとすることができる。
【００１４】
また、前記第１記憶部、前記第２記憶部、又は前記第１記憶部とも前記第２記憶部とも別の第３記憶部が、前記太陽光発電プラントの領域の地図データ、及び、前記地図データと前記アドレスコードとの対応関係を記憶しているようにしてもよい。
【００１５】
これにより、問題が発生した監視対象機器の設置場所に関する地図情報を出力することが可能となるので、ユーザー（メンテナンス作業者）が、問題が発生した監視対象機器の設置場所により容易にたどり着くことができる。
【発明の効果】
【００１６】
本発明に係る太陽光発電プラント監視システムによると、前記太陽光発電プラントを構成している種類の異なる複数の監視対象機器間の接続関係に対応した形態で、問題が発生した監視対象機器に関する情報を出力することが可能となるので、異常が検出された際にメンテナンス作業者が効率よく修理を実施することができる。
【図面の簡単な説明】
【００１７】
【図１】大規模太陽光発電プラントの一構成例を示す図である。
【図２】本発明の一実施形態に係る太陽光発電プラント監視システムの概略構成を示す図である。
【図３】データ伝送機器の概略構成例を示す図である。
【図４】サーバーコンピュータの概略構成例を示す図である。
【図５】パーソナルコンピュータの概略構成例を示す図である。
【図６】監視画面の一例を示す図である。
【図７】監視画面の他の例を示す図である。
【図８】監視画面の更に他の例を示す図である。
【図９】監視画面の更に他の例を示す図である。
【図１０】監視画面の更に他の例を示す図である。
【図１１】監視画面の更に他の例を示す図である。
【図１２】監視画面の更に他の例を示す図である。
【図１３】監視画面の更に他の例を示す図である。
【図１４】監視画面の更に他の例を示す図である。
【図１５Ａ】警報発報時の監視画面の例を示す図である。
【図１５Ｂ】警報発報時の監視画面の例を示す図である。
【図１５Ｃ】警報発報時の監視画面の例を示す図である。
【図１５Ｄ】警報発報時の監視画面の例を示す図である。
【図１６】種類の異なる機器の識別コードを関連付けているデータテーブルを示す図である。
【図１７】機器の識別コードと設置箇所のアドレスコードとを関連付けているデータテーブルを示す図である。
【発明を実施するための形態】
【００１８】
本発明の実施形態について図面を参照して以下に説明する。
【００１９】
＜＜大規模太陽光発電プラント＞＞
まず、大規模太陽光発電プラントについて説明する。大規模太陽光発電プラントの一構成例を図１に示す。
【００２０】
図１に示す大規模太陽光発電プラントは、１台の１１５ｋＶトランス１と、２８台の２２ｋＶトランス２と、２２０台のインバータ装置３と、６６０台の集電箱４と、１９８０台の接続箱５と、１７８２０台の４．１ｋＷ級太陽電池ストリング６とを備える７３ＭＷdc級の大規模太陽光発電プラントである。
【００２１】
１１５ｋＶトランス１の高圧側には電力系統が接続されており、１１５ｋＶトランス１の低圧側には２８台の２２ｋＶトランス２の各高圧側が接続されている。２８台の２２ｋＶトランス２のうち２７台については各２２ｋＶトランス２の低圧側に８台のインバータ装置３の各出力側が接続され、残りの１台については各２２ｋＶトランス２の低圧側に４台のインバータ装置３の各出力側が接続されている。また、各インバータ装置３の入力側に３台の集電箱４の各出力側が接続されている。
【００２２】
６６０台の集電箱４の入力側に３台の接続箱５の各出力側が接続されている。そして、各接続箱５の入力側に９台の４．１ｋＷ級太陽電池ストリング６が並列接続されている。
【００２３】
２２ｋＶトランス２とそれに接続される８台または４台のインバータ装置３は同一の建屋（インバータハウス）内に設置され、かつ、各２２ｋＶトランス２は別々のインバータハウス）内に設置される。したがって、インバータハウスは２８棟設けられている。また、１１５ｋＶトランス１は変電設備内に設置される。
【００２４】
１１５ｋＶトランス１は１１５ｋＶトランス用保護リレー（不図示）を有しており、各２２ｋＶトランス２は２２ｋＶトランス用保護リレー（不図示）を有している。また、１１５ｋＶトランス用スイッチギア（不図示）が１１５ｋＶトランス１の高圧側に設置され、２２ｋＶトランス用スイッチギア（不図示）が各２２ｋＶトランス２の各高圧側及び各低圧側それぞれに設置されている。
【００２５】
また、気象関係の計測機器として、４台の日射計（３台は傾斜面に設置し１台は水平面に設置する）、外気温を計測するための３台の温度計、４．１ｋＷ級太陽電池ストリング６の構成部品である太陽電池モジュールの裏面温度を計測するための８台の温度計、３台の風速計、３台の湿度計、及び３台の降雨量計が、図１に示す大規模太陽光発電プラントの敷地内の所定の計測地点に配置されている（それぞれ不図示）。
【００２６】
さらに、インバータハウス内の気温を計測するための温度計と、空気調和機と、空気調和機用ブレーカと、照明機器と、照明機器用ブレーカと、上記空気調和機及び上記照明機器での消費電力を計測するための計器が各インバータハウス内に設置されている（それぞれ不図示）。
【００２７】
＜＜太陽光発電プラント監視システム＞＞
次に、太陽光発電プラント監視システムについて、＜構成＞、＜監視内容＞、＜オペレーション用ＰＣの表示内容及び操作内容＞の順で説明する。
【００２８】
＜構成＞
図１に示す大規模太陽光発電プラントを監視対象とする本発明の一実施形態に係る太陽光発電プラント監視システムの概略構成を図２に示す。
【００２９】
図２に示す本発明の一実施形態に係る太陽光発電プラント監視システムは、１台のサーバーコンピュータ７と、２台のオペレーション用ＰＣ（Personal Computer）８と、１台のメンテナンス用ＰＣ９と、１１５ｋＶトランス１に関連するデータを伝送する１台の１１５ｋＶトランス関連データ伝送機器１０（以下、「データ伝送機器１０」と略す）と、２２ｋＶトランス２に関連するデータを伝送する少なくとも１台の２２ｋＶトランス関連データ伝送機器１１（以下、「データ伝送機器１１」と略す）と、インバータ装置３に関連するデータを伝送する少なくとも１台のインバータ装置関連データ伝送機器１２（以下、「データ伝送機器１２」と略す）とを備えている。
【００３０】
データ伝送機器１０は、上記１１５ｋＶトランス用保護リレーからのデータを受信してサーバーコンピュータ７に送信したり、オペレーション用ＰＣ８からサーバーコンピュータ７経由で送られてくる発停信号（上記１１５ｋＶトランス用保護リレーを対象機器とする発停信号）を受信して上記１１５ｋＶトランス用保護リレーに送信したりする。
【００３１】
データ伝送機器１１は、上記２２ｋＶトランス用保護リレーからのデータを受信してサーバーコンピュータ７に送信したり、オペレーション用ＰＣ８からサーバーコンピュータ７経由で送られてくる発停信号（上記２２ｋＶトランス用保護リレーを対象機器とする発停信号）を受信して上記２２ｋＶトランス用保護リレーに送信したりする。データ伝送機器１１の台数は、データ伝送機器１１の処理能力を勘案し、２８個の上記２２ｋＶトランス用保護リレーとサーバーコンピュータ７との間のデータ通信を滞りなく処理できるのに必要な数量とする。
【００３２】
データ伝送機器１２は、インバータ装置３からのデータを受信してサーバーコンピュータ７に送信したり、上記気象関係の計測機器からの各データを受信してサーバーコンピュータ７に送信したり、インバータハウス内の上記温度計、上記空気調和機用ブレーカ、上記照明機器用ブレーカ、及び上記消費電力を計測するための計器からの各データを受信してサーバーコンピュータ７に送信したり、接続箱５からのデータを受信してサーバーコンピュータ７に送信したり、オペレーション用ＰＣ８からサーバーコンピュータ７経由で送られてくる発停信号（インバータ装置３を対象機器とする発停信号、上記空気調和機用ブレーカを対象機器とする発停信号、又は上記照明機器用ブレーカを対象機器とする発停信号）を受信してインバータ装置３、上記空気調和機用ブレーカ、又は上記照明機器用ブレーカに送信したりする。データ伝送機器１２の台数は、データ伝送機器１２の処理能力を勘案し、２２０台のインバータ装置３、１９８０台の接続箱５、２８個の上記空気調和機用ブレーカ、及び２８個の上記照明機器用ブレーカとサーバーコンピュータ７との間のデータ通信を滞りなく処理できるのに必要な数量とする。
【００３３】
サーバーコンピュータ７、オペレーション用ＰＣ８、及びメンテナンス用ＰＣ９は、イーサネット（登録商標）などによってＬＡＮ（Local Area Network）接続されている。また、サーバーコンピュータ７と各データ伝送機器１０〜１２とは、光ネットワーク１３を介して光通信を行う。
【００３４】
ここで、各データ伝送機器１０〜１２として用いることが可能なデータ伝送機器の概略構成例を図３に示す。図３に示すデータ伝送機器は、ＣＰＵ（Central Processing Unit）１４と、不揮発性メモリ１５と、入出力インターフェース１６と、ワークメモリ１７と、入出力インターフェース１８と、バス１９とを備えている。ＣＰＵ１４と各部（不揮発性メモリ１５、入出力インターフェース１６、ワークメモリ１７、及び入出力インターフェース１８）とはバス１９を介して接続されている。図３に示すデータ伝送機器は、例えば、プログラマブルコントローラやパーソナルコンピュータで実現することができる。
【００３５】
ＣＰＵ１４は、不揮発性メモリ１５に格納されたシーケンスプログラムに従って、入出力インターフェース１６を介して外部（本実施形態では上記１１５ｋＶトランス用保護リレー、上記２２ｋＶトランス用保護リレー、インバータ装置３、上記気象関係の計測機器、インバータハウス内の上記温度計、上記空気調和機用ブレーカ、上記照明機器用ブレーカ、上記消費電力を計測するための計器、又は接続箱５）から所定のタイミングで取得したデータを一時的にワークメモリ１７に格納し、その後、そのデータを入出力インターフェース１８を介して所定の形式（本実施形態では光信号）で所定のタイミングで外部（本実施形態ではサーバーコンピュータ７）に出力する。
【００３６】
また、入出力インターフェース１８に発停信号が入力されると、入出力インターフェース１８は発停信号の形式を変更（本実施形態では光信号から電気信号に変更）し、ＣＰＵ１４は、不揮発性メモリ１５に格納されたシーケンスプログラムに従って、形式変更後の発停信号を、入出力インターフェース１６を介して外部（本実施形態では上記１１５ｋＶトランス用保護リレー、上記２２ｋＶトランス用保護リレー、インバータ装置３、上記空気調和機用ブレーカ、又は上記照明機器用ブレーカ）に出力する。
【００３７】
続いて、サーバーコンピュータ７の概略構成例を図４に示す。図４に示す概略構成例において、サーバーコンピュータ７は、ＣＰＵ２０と、不揮発性メモリ２１と、光インターフェース２２と、ワークメモリ２３と、ＬＡＮインターフェース２４と、ＨＤＤ（Hard Disk Drive）２５と、バス２６とを備えている。ＣＰＵ２０と各部（不揮発性メモリ２１、光インターフェース２２、ワークメモリ２３、ＬＡＮインターフェース２４、及びＨＤＤ２５）とはバス２６を介して接続されている。
【００３８】
ＣＰＵ２０は、不揮発性メモリ１５に格納されたサーバー用ＳＣＡＤＡプログラムに従って、各部（不揮発性メモリ２１、光インターフェース２２、ワークメモリ２３、ＬＡＮインターフェース２４、及びＨＤＤ２５）を制御する。
【００３９】
不揮発性メモリ１５は、２８台の２２ｋＶトランス２の各識別コードと、２２０台のインバータ装置３の各識別コードと、１９８０台の接続箱５の各識別コードと、１７８２０台の４．１ｋＷ級太陽電池ストリング６の各識別コードとについて、種類の異なる機器間の接続関係に対応するように、種類の異なる機器の識別コードを関連付けして記憶している（例えば、図１６に示すデータテーブル表参照）。
【００４０】
また、不揮発性メモリ１５は、各機器の各識別コードと各機器の設置場所のアドレスコードとを関連付けして記憶している（例えば、図１７に示すデータテーブル表参照）。図１７に示す例では、太陽光発電プラントの領域を格子状に区分けし、各区分に行と列で特定するアドレスコード（設置場所のアドレスコード（Ｘ，Ｙ）のＸが行を示しＹが列を示す）を付与している。また、不揮発性メモリ１５は、太陽光発電プラントの領域の地図データも記憶しており、当該地図データと上記アドレスコードとの対応関係も記憶している。なお、本実施形態では、図１６に示すデータテーブル表、図１７に示すデータテーブル表、及び地図データとアドレスコードとの対応関係に関するデータが同一の記憶部（不揮発性メモリ１５）に記憶されているが、それぞれ別の記憶部に記憶されていても構わない。
【００４１】
続いて、オペレーション用ＰＣ８又はメンテナンス用ＰＣ９として用いることが可能なパーソナルコンピュータの概略構成例を図５に示す。図５に示すパーソナルコンピュータは、ＣＰＵ２７と、不揮発性メモリ２８と、ワークメモリ２９と、ＬＡＮインターフェース３０と、ＨＤＤ３１と、操作部インターフェース３２と、表示部インターフェース３３と、音声出力部インターフェース３４と、バス３５とを備えている。ＣＰＵ２７と各部（不揮発性メモリ２８、ワークメモリ２９、ＬＡＮインターフェース３０、ＨＤＤ３１、操作部インターフェース３２、表示部インターフェース３３、及び音声出力部インターフェース３４）とはバス３５を介して接続されている。なお、操作部インターフェース３２にはマウスやキーボード等の操作部（不図示）が接続され、表示部インターフェース３３には液晶表示装置等の表示部（不図示）が接続され、音声出力部インターフェース３４にはスピーカ等の音声出力部（不図示）が接続される。また、図５に示すパーソナルコンピュータは、表示部インターフェース３３に接続されている表示部が表示する画面イメージを、ＬＡＮインターフェース３０に接続されている指定のプリンタ（不図示）によって印刷したり、イメージデータとしてＨＤＤ３１に保存したりすることができる。
【００４２】
オペレーション用ＰＣ８では、ＣＰＵ２７は、不揮発性メモリ１５に格納されたオペレーション用ＳＣＡＤＡプログラムに従って、各部（不揮発性メモリ２８、ワークメモリ２９、ＬＡＮインターフェース３０、ＨＤＤ３１、操作部インターフェース３２、表示部インターフェース３３、及び音声出力部インターフェース３４）を制御する。一方、メンテナンス用ＰＣ９では、ＣＰＵ２７は、不揮発性メモリ１５に格納されたメンテナンス用ＳＣＡＤＡプログラムに従って、各部（不揮発性メモリ２８、ワークメモリ２９、ＬＡＮインターフェース３０、ＨＤＤ３１、操作部インターフェース３２、表示部インターフェース３３、及び音声出力部インターフェース３４）を制御する。メンテナンス作業者がメンテナンス用ＰＣ９を操作し、太陽光発電プラントの所望の箇所を保守登録することにより、その箇所を監視対象から外すことができる。
【００４３】
また、オペレーション用ＰＣ８では、後述する監視画面中に、上記１１５ｋＶトランス用保護リレー、上記２２ｋＶトランス用保護リレー、インバータ装置３、インバータハウス内の空気調和機、インバータハウス内の照明機器それぞれの「運転/停止ボタン」を適宜表示し、当該「運転/停止ボタン」のクリックにより発停操作（発停信号の送信）が行えるようにしている。なお、複数の機器を同時に起動するよう操作した場合は、一定の遅れ時間をおいて順次起動するにするとよい。また、機器の発停操作は、誤操作防止のために、確認動作を入れた３アクション操作(クリック操作→確認操作→実行)とすることが望ましい。確認操作時には、注意喚起のメッセージが表示されるようにする。
【００４４】
オペレーション用ＰＣ８やメンテナンス用ＰＣ９を使用する際、ユーザーは、ユーザーＩＤとパスワードを入力してログオンする必要がある。当該ログオンの許否判定には、サーバーコンピュータ７の不揮発性メモリ２１に記憶されているユーザーＩＤとパスワードのデータベースが用いられる。
【００４５】
ユーザーＩＤとパスワードのデータベースにおいて、ユーザーは、「Administrator」、「Operator」、「Observer」、「Limited Observer」の４つに分類されている。「Administrator」は、「太陽光発電プラント監視システムの更新」、「機器の発停操作・表示内容の編集」、「全ての画面の閲覧」、「限定された画面の閲覧」の全てが可能であり、「Operator」は、「機器の発停操作・表示内容の編集」、「全ての画面の閲覧」、「限定された画面の閲覧」のみが可能であり、「Observer」は、「全ての画面の閲覧」、「限定された画面の閲覧」のみが可能であり、「Limited Observer」は、「限定された画面の閲覧」のみが可能である。
【００４６】
＜監視内容＞
【００４７】
上記１１５ｋＶトランス用保護リレーから送信される計測データ（各位相（三相）高圧側電圧データ、各位相（三相）高圧側電流データ、有効電力データ、無効電力データ、力率データ、有効電力量データ、無効電力データ、及び周波数データ）は、データ伝送機器１０によって受信され、当該計測データの１分毎の瞬間値がサーバーコンピュータ７のＨＤＤ２５に記録される。
【００４８】
上記２２ｋＶトランス用保護リレーから送信される計測データ（各位相（三相）高圧側電圧データ、各位相（三相）高圧側電流データ、有効電力データ、無効電力データ、力率データ、有効電力量データ、無効電力データ、及び周波数データ）は、データ伝送機器１１によって受信され、当該計測データの１分毎の瞬間値がサーバーコンピュータ７のＨＤＤ２５に記録される。
【００４９】
インバータ装置３から送信される計測データ（入力電圧データ、入力電流データ、入力電力データ、出力電圧データ、出力電流データ、出力電力データ、力率データ、周波数データ、変換効率データ、総積算電力量データ、日積算電力量データ、総稼動時間データ、及び日稼動時間データ）は、データ伝送機器１２によって受信され、当該計測データの１分毎の瞬間値がサーバーコンピュータ７のＨＤＤ２５に記録される。同様に、上記気象関係の計測機器から送信される計測データ（日射強度データ、外気温データ、太陽電池モジュールの裏面温度データ、風速データ、相対湿度データ、降雨量データ）は、データ伝送機器１２によって受信され、当該計測データの１分毎の瞬間値がサーバーコンピュータ７のＨＤＤ２５に記録される。また、同様に、インバータハウス内の上記温度計、上記空気調和機用ブレーカ、上記照明機器用ブレーカ、及び上記消費電力を計測するための計器から送信される計測データ（インバータハウス内の気温データ、消費電力を測定するための計器からの計測データ）は、データ伝送機器１２によって受信され、当該計測データの１分毎の瞬間値がサーバーコンピュータ７のＨＤＤ２５に記録される。また、同様に、接続箱５から送信される計測データ（入力電圧データ、入力電流データ、内部温度データ）は、データ伝送機器１２によって受信され、当該計測データの１０分毎の瞬時値がサーバーコンピュータ７のＨＤＤ２５に記録される。
【００５０】
サーバーコンピュータ７は、上述した各瞬間値をＨＤＤ２５に過去６ヶ月分記録し、過去６ヶ月分よりも前のデータをＨＤＤ２５から削除する。また、サーバーコンピュータ７は、上述した各瞬間値に基づいて、１時間単位の積算値、１時間単位の平均値、１日単位の積算値、１日単位の平均値、１ヶ月単位の積算値、１ヶ月単位の平均値、１年単位の積算値、１年単位の平均値を算出し、その各算出値をＨＤＤ２５に過去２５年分記録し、過去２５年分よりも前のデータをＨＤＤ２５から削除する。
【００５１】
上記１１５ｋＶトランス用スイッチギアから送信される警報関連データ（開閉状態データ）は、上記１１５ｋＶトランス用保護リレー及びデータ伝送機器１０を経由して、サーバーコンピュータ７によって受信される。警報関連データの内容が閉状態を示している期間、当該警報関連データが１秒単位でサーバーコンピュータ７のＨＤＤ２５に記録され、サーバーコンピュータ７はオペレーション用ＰＣ８が警報を発するようにオペレーション用ＰＣ８を制御する。同様に、上記２２ｋＶトランス用スイッチギアから送信される警報関連データ（開閉状態データ）は、上記２２ｋＶトランス用保護リレー及びデータ伝送機器１１を経由して、サーバーコンピュータ７によって受信される。警報関連データの内容が閉状態を示している期間、当該警報関連データが１秒単位でサーバーコンピュータ７のＨＤＤ２５に記録され、サーバーコンピュータ７はオペレーション用ＰＣ８が警報を発するようにオペレーション用ＰＣ８を制御する。また、同様に、インバータ装置３から送信される警報関連データ（運転状態データ、故障の有無を知らせる稼動状態データ、待機の有無を知らせる稼動状態データ、系統連系保護の有無を知らせる稼動状態データ）は、データ伝送機器１２を経由して、サーバーコンピュータ７によって受信される。警報関連データの内容がインバータ装置３の異常を示している期間、当該警報関連データが１秒単位でサーバーコンピュータ７のＨＤＤ２５に記録され、サーバーコンピュータ７はオペレーション用ＰＣ８が警報を発するようにオペレーション用ＰＣ８を制御する。また、同様に、上記空気調和機用ブレーカ及び上記照明機器用ブレーカから送信される警報関連データ（空気調和機用ブレーカのＯＮ／ＯＦＦ状態データ、照明機器用ブレーカのＯＮ／ＯＦＦ状態データ）は、サーバーコンピュータ７によって受信される。警報関連データの内容がＯＦＦ状態を示している期間、当該警報関連データが１秒単位でサーバーコンピュータ７のＨＤＤ２５に記録され、サーバーコンピュータ７はオペレーション用ＰＣ８が警報を発するようにオペレーション用ＰＣ８を制御する。また、同様に、接続箱５から送信される警報関連データ（フューズの状態データ、ＳＰＤ（Surge Protective Device）の状態データ）は、データ伝送機器１２を経由して、サーバーコンピュータ７によって受信される。警報関連データの内容が接続箱５の異常を示している期間、当該警報関連データが１秒単位でサーバーコンピュータ７のＨＤＤ２５に記録され、サーバーコンピュータ７はオペレーション用ＰＣ８が警報を発するようにオペレーション用ＰＣ８を制御する。
【００５２】
また、サーバーコンピュータ７は、発停指令から一定時間経過しても指令内容と機器の状態とが一致しない場合は、オペレーション用ＰＣ８が警報を発するようにオペレーション用ＰＣ８を制御する。上記一定時間の値は、サーバーコンピュータ７の不揮発性メモリ２１に記憶されており、「Administrator」によってのみ設定を変更することができる。
【００５３】
また、サーバーコンピュータ７は、上述した各計測データが予め設定された上限値又は下限値を超えると、オペレーション用ＰＣ８が警報を発するようにオペレーション用ＰＣ８を制御する。各計測データの上限値及び下限値は、サーバーコンピュータ７の不揮発性メモリ２１に記憶されており、「Administrator」によってのみ設定を変更することができる。
【００５４】
上述した警報は、例えば、オペレーション用ＰＣ８の表示部インターフェース３３に接続された表示部による特定の警報表示、及び、オペレーション用ＰＣ８の音声出力部インターフェース３４に接続された音声出力部による特定の警報音出力にするとよい。
【００５５】
また、サーバーコンピュータ７は以下のようなデータ管理機能を有している。
１）運転時間
２）時報・日報・月報・年報作成
３）グラフ作成
４）イベント履歴リスト
【００５６】
上記１）運転時間の機能では、サーバーコンピュータ７は、太陽光発電プラントの各機器の運転時間を積算し、オペレーション用ＰＣ８に表示させるとともに登録点の運転時間が設定された値を超えた機器を一覧形式でオペレーション用ＰＣ８に表示させる。また、その一覧は、オペレーション用ＰＣ８側でＰＤＦファイルとして出力でき、印刷も可能とする。
【００５７】
上記２）時報・日報・月報・年報作成の機能では、サーバーコンピュータ７は、計測値（瞬時値、平均値、積算値）についてユーザーに指定されたフォーマットの時報、日報、月報、年報を作成し、オペレーション用ＰＣ８に表示させる。最大値・最小値・平均値等の演算値も表示可能とする。また、オペレーション用ＰＣ８側でＰＤＦファイルとして出力でき、印刷も可能とする。さらに、オペレーション用ＰＣ８側で、ユーザーに指定された期間のデータ（例：2010/10/01〜2011/03/31 の月報データ）のＣＳＶファイルでの出力も可能とする。
【００５８】
上記３)グラフ作成の機能では、サーバーコンピュータ７は、計測値、積算値、太陽光発電プラントの各機器の運転状態についての時系列変化を、１分単位、１時間単位、１日単位、１ヶ月単位、１年単位のいずれかの形式の折れ線グラフまたはバーグラフにてオペレーション用ＰＣ８に表示させる。
【００５９】
上記４)イベント履歴リストの機能では、警報、状態変化、操作設定、未確認警報を最新のものから分/時/日/月/年順にリスト形式でオペレーション用ＰＣ８に表示させる。表示種別を選択することにより、全体あるいは警報、状態変化、操作設定、未確認警報の一部を抽出した表示ができるようにする。表示中のデータに関して、機器種類や設置場所、時刻による検索、コメント入力を可能とする。また、オペレーション用ＰＣ８側でＰＤＦファイルやＣＳＶファイルとして出力でき、印刷も可能とする。
【００６０】
＜オペレーション用ＰＣの表示内容及び操作内容＞
オペレーション用ＰＣ８は、サーバーコンピュータ７に監視画面用データを要求し、その監視画面用データを受け取ることにより、オペレーション用ＰＣ８の表示部インターフェース３３に接続された表示部に、２つの監視画面を表示させること、すなわちマルチウィンドウ表示させることができる。なお、各種一覧画面やグラフィック画面等で画面上にすべての情報を表示しきれない場合、操作部のボタン操作やドラッグ操作によって実行されるスクロール機能により、画面上に表示される情報を移動させることができる。
【００６１】
監視画面において、太陽光発電プラントで使用される全ての機器および電力線は、グラフィカルシンボルによって表示される。なお、グラフィカルシンボルとしては、単線結線図で使用される記号を用いることが望ましい。また、１１５ｋＶトランス用スイッチギアの開閉状態及び２２ｋＶトランス用スイッチギアの開閉状態は、シンボルを用いて表示される。また、監視画面上に表示される電力線は、通電されているかどうかによって、異なる色で表示することが望ましい。例えば、通電時は黄緑色、非通電時は灰色にするとよい。また、各計測値の一部については、数値表示だけでなく、アナログメータ表示も行われる。
【００６２】
警報発生時には、オペレーション用ＰＣ８は、オペレーション用ＰＣ８の表示部インターフェース３３に接続された表示部に、警報表示画面を強制的に表示させる。
【００６３】
ここで、オペレーション用ＰＣ８の表示部インターフェース３３に接続された表示部が表示する監視画面の一例を図６に示す。
【００６４】
図６に示す監視画面では、以下のような発電関連表示がなされている。
１）１１５ｋＶトランス用スイッチギアの開閉状態のシンボル表示
２）２２ｋＶトランス用スイッチギア（入力端、出力端）の開閉状態のシンボル表示
３）１１５ｋＶトランス用保護リレーからの１分毎の出力電力データ、出力電圧データ、周波数データ、及び力率データの数値表示及びアナログメータ表示
４）１１５ｋＶトランス用保護リレーからの１分毎の出力電力データのグラフ表示
５）２２ｋＶトランス用保護リレー全てからの１分毎の出力電力データの数字表示
６）１分毎のＡＣシステム効率（＝１１５ｋＶトランス用保護リレーからの出力電力の１分毎の瞬時値／日射強度の１分毎の瞬時値／全太陽電池ストリングの容量）の数値表示及びグラフ表示
【００６５】
また、図６に示す監視画面では、以下のような気象関連表示がなされている。
１）傾斜面に設置されている３台の日射計からの１分毎の日射強度（瞬時値）の平均値の数値表示及びグラフ表示
２）１分毎の外気温の数値表示及びグラフ表示
【００６６】
また、図６に示す監視画面では、以下のようなリンク設定がなされている。
１）図７に示す監視画面に移行するためのリンク設定（例えば、２２ｋＶトランスのシンボルにマウスポインタを重ねた状態で、選択確定のためのキー操作が行われると、選択された２２ｋＶトランスに関する図７に示す監視画面に移行するようにすればよい。）
２）図１０に示す監視画面に移行するためのリンク設定（例えば、図１０に示す監視画面に移行するためのリンクボタンを表示し、当該リンクボタンにマウスポインタを重ねた状態で、選択確定のためのキー操作が行われると、図１０に示す監視画面に移行するようにすればよい。）
【００６７】
次に、オペレーション用ＰＣ８の表示部インターフェース３３に接続された表示部が表示する監視画面の他の例を図７に示す。
【００６８】
図７に示す監視画面では、以下のような発電関連表示がなされている。
１）選択された２２ｋＶトランスの識別コード（図中では「Power Station 01」）の表示
２）選択された２２ｋＶトランスに対応する２２ｋＶトランス用スイッチギア（入力端、出力端）の開閉状態のシンボル表示
３）選択された２２ｋＶトランスに対応する２２ｋＶトランス用保護リレーからの１分毎の出力電力データ、出力電圧データ、周波数データ、及び力率データの数値表示及びアナログメータ表示
４）選択された２２ｋＶトランスに接続されている全インバータ装置からの１分毎の出力電力データ、各相出力電圧データ、周波数データ、及び力率データの数値表示
５）１分毎のＡＣシステム効率（＝１１５ｋＶトランス用保護リレーからの出力電力の１分毎の瞬時値／日射強度の１分毎の瞬時値／全太陽電池ストリングの容量）の数値表示及びグラフ表示
【００６９】
また、図７に示す監視画面では、図６に示す監視画面と同様の気象関連表示がなされている。
【００７０】
また、図７に示す監視画面では、以下のようなリンク設定がなされている。
１）図６に示す監視画面に戻るためのリンク設定（例えば、図６に示す監視画面に戻るためのリンクボタンを表示し、当該リンクボタンにマウスポインタを重ねた状態で、選択確定のためのキー操作が行われると、図６に示す監視画面に戻るようにすればよい。）
２）図１０に示す監視画面に移行するためのリンク設定（例えば、図１０に示す監視画面に移行するためのリンクボタンを表示し、当該リンクボタンにマウスポインタを重ねた状態で、選択確定のためのキー操作が行われると、図１０に示す監視画面に移行するようにすればよい。）
【００７１】
次に、オペレーション用ＰＣ８の表示部インターフェース３３に接続された表示部が表示する監視画面の更に他の例を図８に示す。
【００７２】
図８に示す監視画面では、以下のような発電関連表示がなされている。
１）選択されたインバータ装置の識別コード（図中では「Inverter 01-1」）の表示
２）選択されたインバータ装置からの１分毎の出力電力データ、出力電圧データ、周波数データ、及び力率データの数値表示及びアナログメータ表示
３）選択されたインバータ装置からの１分毎の入力電力の和データ、入力電圧の平均値データ、及び入力電流の和データの数値表示
４）選択されたインバータ装置に集電箱を介して接続されている全接続箱からの１０分毎の出力電力データ、出力電圧データ、出力電流データの数値表示、及び、選択されたインバータ装置に集電箱を介して接続されている全接続箱からのフューズの状態データ、ＳＰＤの状態データについて故障の有無としての表示
５）１分毎のＤＣシステム効率（＝インバータ装置の入力電力の１分毎の瞬時値／日射強度の１分毎の瞬時値）の数値表示
６）１分毎のＡＣシステム効率（＝１１５ｋＶトランス用保護リレーからの出力電力の１分毎の瞬時値／日射強度の１分毎の瞬時値／全太陽電池ストリングの容量）の数値表示及びグラフ表示
【００７３】
また、図８に示す監視画面では、図６に示す監視画面と同様の気象関連表示がなされている。
【００７４】
また、図８に示す監視画面では、以下のようなリンク設定がなされている。
１）図７に示す監視画面に戻るためのリンク設定（例えば、図７に示す監視画面に戻るためのリンクボタンを表示し、当該リンクボタンにマウスポインタを重ねた状態で、選択確定のためのキー操作が行われると、図７に示す監視画面に戻るようにすればよい。）
２）図１０に示す監視画面に移行するためのリンク設定（例えば、図１０に示す監視画面に移行するためのリンクボタンを表示し、当該リンクボタンにマウスポインタを重ねた状態で、選択確定のためのキー操作が行われると、図１０に示す監視画面に移行するようにすればよい。）
【００７５】
図９に示す監視画面では、以下のような発電関連表示がなされている。
１）選択された接続箱の識別コード（図中では「Junction box 01-1-1」）の表示
２）選択された接続箱からの１０分毎の出力電力データ、出力電圧データ、出力電流データの数値表示及びアナログメータ表示
３）選択されたインバータ装置に接続されている全太陽電池ストリングからの１０分毎の出力電力データ、出力電圧データ、出力電流データの数値表示
４）１分毎のＡＣシステム効率（＝１１５ｋＶトランス用保護リレーからの出力電力の１分毎の瞬時値／日射強度の１分毎の瞬時値／全太陽電池ストリングの容量）の数値表示及びグラフ表示
【００７６】
また、図９に示す監視画面では、図６に示す監視画面と同様の気象関連表示がなされている。
【００７７】
また、図９に示す監視画面では、以下のようなリンク設定がなされている。
１）図８に示す監視画面に戻るためのリンク設定（例えば、図８に示す監視画面に戻るためのリンクボタンを表示し、当該リンクボタンにマウスポインタを重ねた状態で、選択確定のためのキー操作が行われると、図７に示す監視画面に戻るようにすればよい。）
２）図１０に示す監視画面に移行するためのリンク設定（例えば、図１０に示す監視画面に移行するためのリンクボタンを表示し、当該リンクボタンにマウスポインタを重ねた状態で、選択確定のためのキー操作が行われると、図１０に示す監視画面に移行するようにすればよい。）
【００７８】
次に、オペレーション用ＰＣ８の表示部インターフェース３３に接続された表示部が表示する監視画面の更に他の例を図１０に示す。
【００７９】
図１０に示す監視画面では、以下のような発電関連表示がなされている。
１）横軸が１日の時刻であり、縦軸が１分単位の１１５ｋＶのＡＣ出力電力である折れ線グラフの表示
２）横軸が１日の時刻であり、縦軸が１分単位のＡＣシステム効率である折れ線グラフの表示
【００８０】
また、図１０に示す監視画面では、以下のような気象関連表示がなされている。
１）横軸が１日の時刻であり、縦軸が１分単位の傾斜面日射強度、降雨量である折れ線グラフの表示
２）横軸が１日の時刻であり、縦軸が１分単位の外気温、風速、相対湿度である折れ線グラフの表示
【００８１】
また、図１０に示す監視画面では、以下のようなリンク設定がなされている。
１）前日のグラフに移行するリンクボタンの表示
２）次の日のグラフに移行するリンクボタンの表示
３）指定日のグラフに移行するリンクボタンの表示（当該リンクボタンにマウスポインタを重ねた状態で、選択確定のためのキー操作が行われると、指定日の入力画面に移行するようにすればよい）
４）図６に示す監視画面に戻るためのリンク設定（例えば、図６に示す監視画面に戻るためのリンクボタンを表示し、当該リンクボタンにマウスポインタを重ねた状態で、選択確定のためのキー操作が行われると、図６に示す監視画面に戻るようにすればよい。）
５）図１１に示す監視画面に移行するリンクボタンの表示
６）図１２に示す監視画面に移行するリンクボタンの表示
７）図１３に示す監視画面に移行するリンクボタンの表示
８）図１４に示す監視画面に移行するリンクボタンの表示
【００８２】
次に、オペレーション用ＰＣ８の表示部インターフェース３３に接続された表示部が表示する監視画面の更に他の例を図１１に示す。
【００８３】
図１１に示す監視画面では、以下のような発電関連表示がなされている。
１）横軸が１日の時刻であり、縦軸が１時間単位の１１５ｋＶの積算ＡＣ出力電力であるバーグラフの表示
２）横軸が１日の時刻であり、縦軸が１時間単位のＡＣシステム効率である折れ線グラフの表示
【００８４】
また、図１１に示す監視画面では、以下のような気象関連表示がなされている。
１）横軸が１日の時刻であり、縦軸が１時間単位の積算傾斜面日射強度、積算降雨量であるバーグラフの表示
２）横軸が１日の時刻であり、縦軸が１時間単位の平均外気温、平均風速、平均相対湿度である折れ線グラフの表示
【００８５】
また、図１１に示す監視画面では、以下のようなリンク設定がなされている。
１）前日のグラフに移行するリンクボタンの表示
２）次の日のグラフに移行するリンクボタンの表示
３）指定日のグラフに移行するリンクボタンの表示（当該リンクボタンにマウスポインタを重ねた状態で、選択確定のためのキー操作が行われると、指定日の入力画面に移行するようにすればよい）
４）図６に示す監視画面に戻るためのリンク設定（例えば、図６に示す監視画面に戻るためのリンクボタンを表示し、当該リンクボタンにマウスポインタを重ねた状態で、選択確定のためのキー操作が行われると、図６に示す監視画面に戻るようにすればよい。）
５）図１０に示す監視画面に移行するリンクボタンの表示
６）図１２に示す監視画面に移行するリンクボタンの表示
７）図１３に示す監視画面に移行するリンクボタンの表示
８）図１４に示す監視画面に移行するリンクボタンの表示
【００８６】
次に、オペレーション用ＰＣ８の表示部インターフェース３３に接続された表示部が表示する監視画面の更に他の例を図１２に示す。
【００８７】
図１２に示す監視画面では、以下のような発電関連表示がなされている。
１）横軸が１ヶ月の日付であり、縦軸が１日単位の１１５ｋＶの積算ＡＣ出力電力であるバーグラフの表示
２）横軸が１ヶ月の日付であり、縦軸が１日単位のＡＣシステム効率である折れ線グラフの表示
【００８８】
また、図１２に示す監視画面では、以下のような気象関連表示がなされている。
１）横軸が１ヶ月の日付であり、縦軸が１日単位の積算傾斜面日射強度、積算降雨量であるバーグラフの表示
２）横軸が１ヶ月の日付であり、縦軸が１日単位の平均外気温、平均風速、平均相対湿度である折れ線グラフの表示
【００８９】
また、図１２に示す監視画面では、以下のようなリンク設定がなされている。
１）前月のグラフに移行するリンクボタンの表示
２）次月のグラフに移行するリンクボタンの表示
３）指定月のグラフに移行するリンクボタンの表示（当該リンクボタンにマウスポインタを重ねた状態で、選択確定のためのキー操作が行われると、指定月の入力画面に移行するようにすればよい）
４）図６に示す監視画面に戻るためのリンク設定（例えば、図６に示す監視画面に戻るためのリンクボタンを表示し、当該リンクボタンにマウスポインタを重ねた状態で、選択確定のためのキー操作が行われると、図６に示す監視画面に戻るようにすればよい。）
５）図１０に示す監視画面に移行するリンクボタンの表示
６）図１１に示す監視画面に移行するリンクボタンの表示
７）図１３に示す監視画面に移行するリンクボタンの表示
８）図１４に示す監視画面に移行するリンクボタンの表示
【００９０】
次に、オペレーション用ＰＣ８の表示部インターフェース３３に接続された表示部が表示する監視画面の更に他の例を図１３に示す。
【００９１】
図１３に示す監視画面では、以下のような発電関連表示がなされている。
１）横軸が１年間の月であり、縦軸が１ヶ月単位の１１５ｋＶの積算ＡＣ出力電力であるバーグラフの表示
２）横軸が１年間の月であり、縦軸が１ヶ月単位のＡＣシステム効率である折れ線グラフの表示
【００９２】
また、図１３に示す監視画面では、以下のような気象関連表示がなされている。
１）横軸が１年間の月であり、縦軸が１ヶ月単位の積算傾斜面日射強度、積算降雨量であるバーグラフの表示
２）横軸が１年間の月であり、縦軸が１ヶ月単位の平均外気温、平均風速、平均相対湿度である折れ線グラフの表示
【００９３】
また、図１３に示す監視画面では、以下のようなリンク設定がなされている。
１）前年のグラフに移行するリンクボタンの表示
２）次年のグラフに移行するリンクボタンの表示
３）指定年のグラフに移行するリンクボタンの表示（当該リンクボタンにマウスポインタを重ねた状態で、選択確定のためのキー操作が行われると、指定年の入力画面に移行するようにすればよい）
４）図６に示す監視画面に戻るためのリンク設定（例えば、図６に示す監視画面に戻るためのリンクボタンを表示し、当該リンクボタンにマウスポインタを重ねた状態で、選択確定のためのキー操作が行われると、図６に示す監視画面に戻るようにすればよい。）
５）図１０に示す監視画面に移行するリンクボタンの表示
６）図１１に示す監視画面に移行するリンクボタンの表示
７）図１２に示す監視画面に移行するリンクボタンの表示
８）図１４に示す監視画面に移行するリンクボタンの表示
【００９４】
次に、オペレーション用ＰＣ８の表示部インターフェース３３に接続された表示部が表示する監視画面の更に他の例を図１４に示す。
【００９５】
図１４に示す監視画面では、以下のような発電関連表示がなされている。
１）横軸が１〜２５年目の年であり、縦軸が１年単位の１１５ｋＶの積算ＡＣ出力電力であるバーグラフの表示
２）横軸が１〜２５年目の年であり、縦軸が１年単位のＡＣシステム効率である折れ線グラフの表示
【００９６】
また、図１４に示す監視画面では、以下のような気象関連表示がなされている。
１）横軸が１〜２５年目の年であり、縦軸が１年単位の積算傾斜面日射強度、積算降雨量であるバーグラフの表示
２）横軸が１〜２５年目の年であり、縦軸が１年単位の平均外気温、平均風速、平均相対湿度である折れ線グラフの表示
【００９７】
また、図１４に示す監視画面では、以下のようなリンク設定がなされている。
１）図６に示す監視画面に戻るためのリンク設定（例えば、図６に示す監視画面に戻るためのリンクボタンを表示し、当該リンクボタンにマウスポインタを重ねた状態で、選択確定のためのキー操作が行われると、図６に示す監視画面に戻るようにすればよい。）
２）図１０に示す監視画面に移行するリンクボタンの表示
３）図１１に示す監視画面に移行するリンクボタンの表示
４）図１２に示す監視画面に移行するリンクボタンの表示
５）図１３に示す監視画面に移行するリンクボタンの表示
【００９８】
次に、オペレーション用ＰＣ８の表示部インターフェース３３に接続された表示部が表示する警報発報時の監視画面（警報表示画面）の各例を図１５Ａ〜図１５Ｄに示す。
【００９９】
図１５Ａ〜図１５Ｄは、識別コード「Power Staion 01」の２２ｋＶトランス３、識別コード「Inverter 01-5」のインバータ装置３、識別コード「Array 01-5-1」の接続箱５、及び識別コード「String 01-5-1-01」の４．１ｋＷ太陽電池ストリング６のそれぞれに問題が発生している状態（警報発生が必要な状態）における警報表示画面の例である。
【０１００】
図１５Ａ〜図１５Ｄに示す警報表示画面では、問題が発生している状態の機器は、赤色で点滅表示される（図中では太い点線で表現している）。
【０１０１】
なお、サーバーコンピュータ７の不揮発性メモリ２１が、図１６に示すように、種類の異なる機器間の接続関係に対応するように種類の異なる機器の識別コードを関連付けして記憶しているので、図１５Ａ〜図１５Ｄの各警報表示画面間のリンクが可能である。このため、図１５Ａ→図１５Ｂ→図１５Ｃ→図１５Ｄの順に移行することはもちろんのこと、例えば図１５Ａ→図１５Ｄに直接移行するも可能である。
【０１０２】
また、サーバーコンピュータ７の不揮発性メモリ２１が、図１６に示すように、種類の異なる機器間の接続関係に対応するように種類の異なる機器の識別コードを関連付けして記憶しているので、図１５Ｂ中の赤色で点滅表示させている（図中では太い点線で表現している）識別コードのように、問題が発生している状態の機器同士の接続関係を表示することもできる。
【０１０３】
これにより、種類の異なる複数の機器で問題が発生した場合、問題が発生している状態の機器間で電力系統に遠い側の機器の影響により電力系統に近い側の機器に問題が発生しているおそれがあるか否かをユーザーが容易に認識することができ、ユーザー（メンテナンス作業者）が効率よく修理を実施することができる。例えば、或るインバータ装置３と、そのインバータ装置３に集電箱４を介して接続されている接続箱５に問題が発生している場合、問題が発生している接続箱５によってインバータ装置３に問題が発生しているだけであって、問題が発生している接続箱５を修理すれば、インバータ装置３を修理せずともインバータ装置３で発生している問題が解消されることがあるので、接続箱５を優先して修理すればよい。
【０１０４】
また、サーバーコンピュータ７の不揮発性メモリ２１が、図１７に示すように、各機器の各識別コードと各機器の設置場所のアドレスコードとを関連付けして記憶しているので、図１５Ａ〜図１５Ｄのように、問題が発生している状態の機器を設置場所が分かる形式で表示することができる（問題が発生している状態の機器を太陽光発電プラントの地図上に表示）。
【０１０５】
また、サーバーコンピュータ７の不揮発性メモリ２１が、図１７に示すように、各機器の各識別コードと各機器の設置場所のアドレスコードとを関連付けして記憶しているので、問題が発生している状態の機器の設置場所に関する情報をユーザーに提供することができる。
【０１０６】
例えば、問題が発生している状態の機器の設置場所のアドレスコードを、オペレーションＰＣ８側で表示や印刷できるようにするとよい。この場合、太陽光発電プラントの所定の地点に、設置場所のアドレスコードを表記したプレート等を配置すれば、ユーザーは当該プレート等を参考して、問題が発生している状態の機器の設置場所に容易にたどり着くことができる。
【０１０７】
また、例えば、問題が発生している状態の機器の設置場所のアドレスコードと、屋内管理室から問題が発生している状態の機器の設置場所に至る経路が示された地図（アクセスマップ）とがオペレーションＰＣ８側で表示や印刷できるようにしてもよい。この場合、ユーザーは印刷された地図を参考して、問題が発生している状態の機器の設置場所により容易にたどり着くことができる。なお、印刷を不要とするために、問題が発生している状態の機器の設置場所のアドレスコードと、屋内管理室から問題が発生している状態の機器の設置場所に至る経路が示された地図（アクセスマップ）とのデータがオペレーションＰＣ８から携帯端末（不図示）に転送されるようにしてもよい。
【０１０８】
また、図１５Ａ〜図１５Ｄに示す警報表示画面では、以下のようなリンク設定がなされている。
１）図１０に示す監視画面に移行するリンクボタン（不図示）の表示
２）イベント履歴リストを表示する画面に移行するリンクボタン（図１５Ａ〜図１５Ｃにおいて不図示）の表示
３）取るべきアクションに関する表示（例えば、「○○を遮断して下さい」や「◇◇会社の電話番号△△−△△△△に連絡して下さい」というメッセージ表示）を行う画面に移行するリンクボタン（図１５Ａ〜図１５Ｃにおいて不図示）の表示
【０１０９】
なお、取るべきアクションに関する表示を行う画面への移行が、リンクボタンにより実行されるのではなく、図１５Ａ〜図１５Ｄに示す警報表示画面が表示されてから所定時間経過後に自動的に実行されるようにしてもよい。
【０１１０】
また、取るべきアクションに関する表示の内容は、「Administrator」及び「Operator」によってのみ設定を変更することができる。
【０１１１】
以上、本発明に係る実施形態について説明したが、本発明の範囲はこれに限定されるものではなく、発明の主旨を逸脱しない範囲で種々の変更を加えて実行することができる。例えば、上述した大規模太陽光発電プラントを構成している機器の種類や個数はあくまで例示であり、また、同様に、上述した太陽光発電プラント監視システムを構成している機器の種類や個数もあくまで例示であり、さらに、上述した太陽光発電プラント監視システムでの監視項目、監視画面、太陽光発電プラント監視システムを構成している機器間のデータ伝送方法等もあくまで例示である。
【符号の説明】
【０１１２】
１  １１５ｋＶトランス
２  ２２ｋＶトランス
３  インバータ装置
４  集電箱
５  接続箱
６  ４．１級太陽電池ストリング
７  サーバーコンピュータ
８  オペレーション用ＰＣ８
９  メンテナンス用ＰＣ
１０  １１５ｋＶトランス関連データ伝送機器
１１  ２２ｋＶトランス関連データ伝送機器
１２  インバータ装置関連データ伝送機器
１３  光ネットワーク
１４、２０、２７  ＣＰＵ
１５、２１、２８  不揮発性メモリ
１６、１８  入出力インターフェース
１７、２３、２９  ワークメモリ
１９、２６、３５  バス
２２  光インターフェース
２４、３０  ＬＡＮインターフェース
２５、３１  ＨＤＤ
３２  操作部インターフェース
３３  表示部インターフェース
３４  音声出力部インターフェース
【図１】
0005400678.tif 000002
【図２】
0005400678.tif 000003
【図３】
0005400678.tif 000004
【図４】
0005400678.tif 000005
【図５】
0005400678.tif 000006
【図６】
0005400678.tif 000007
【図７】
0005400678.tif 000008
【図８】
0005400678.tif 000009
【図９】
0005400678.tif 000010
【図１０】
0005400678.tif 000011
【図１１】
0005400678.tif 000012
【図１２】
0005400678.tif 000013
【図１３】
0005400678.tif 000014
【図１４】
0005400678.tif 000015
【図１５Ｃ】
0005400678.tif 000016
【図１５Ｄ】
0005400678.tif 000017
【図１６】
0005400678.tif 000018
【図１７】
0005400678.tif 000019
【図１５Ａ】
0005400678.tif 000020
【図１５Ｂ】
0005400678.tif 000021